(57)【要約】【課題】局部乾燥後の温風乾燥構造を有する装置において、局部洗浄時に発生した飛沫等が装置内部へ侵入することを効果的に防止又は抑制する。【解決手段】ある態様の局部洗浄装置は、開口部３４を通って前方に突出可能な局部洗浄ノズル３０，３２と、局部洗浄ノズル３０，３２を突出方向に駆動可能なノズル駆動装置と、開口部３４に吹出口が臨む温風ダクト４０と、温風ダクト４０に温風の流れを生成可能なファン４２と、開口部３４の前面側に設けられ、水平方向の回動軸を中心に回動することにより開口部３４を開閉可能なシャッタ３６と、局部洗浄に際してシャッタ３６を一方向に回動させることによりシャッタ３６を回動軸の上方に向けて開く上開きを可能とし、温風乾燥に際してシャッタ３６を他方向に回動させることによりシャッタ３６を回動軸の下方に向けて開く下開きを可能とするシャッタ切替機構と、を備える。【選択図】図１０
2015206183.tif 000002
【特許請求の範囲】
【請求項１】
便器本体の後部上面に設けられ、前面に開口部を有するケースと、
前記ケースに収容され、前記開口部を通って前方に突出可能な局部洗浄ノズルと、
前記局部洗浄ノズルを突出方向に駆動可能なノズル駆動装置と、
前記ケースに収容され、前記開口部に吹出口が臨む温風ダクトと、
前記温風ダクトに温風の流れを生成可能な温風発生装置と、
前記開口部の前面側に設けられ、水平方向の回動軸を中心に回動することにより前記開口部を開閉可能なシャッタと、
局部洗浄に際して前記シャッタを一方向に回動させることにより前記シャッタを前記回動軸の上方に向けて開く上開きを可能とし、温風乾燥に際して前記シャッタを他方向に回動させることにより前記シャッタを前記回動軸の下方に向けて開く下開きを可能とするシャッタ切替機構と、
を備えることを特徴とする局部洗浄装置。
【請求項２】
前記ケース内から前記開口部を通って前方に突出可能な第１部材と第２部材とを備え、
前記第１部材および前記第２部材が前記局部洗浄ノズルとして機能し、
前記シャッタ切替機構は、前記ノズル駆動装置によって前記第１部材および前記第２部材のいずれを少なくとも先に駆動するかにより前記シャッタを上開き又は下開きに動作させることを特徴とする請求項１に記載の局部洗浄装置。
【請求項３】
前記第１部材および前記第２部材として前記ケース内に並設され、前記局部洗浄ノズルとして互いに独立に機能可能な第１洗浄ノズルと第２洗浄ノズルを備え、
前記シャッタ切替機構は、前記ノズル駆動装置によって前記第１洗浄ノズルおよび前記第２洗浄ノズルのいずれを少なくとも先に駆動するかにより前記シャッタを上開き又は下開きに動作させることを特徴とする請求項２に記載の局部洗浄装置。
【請求項４】
前記シャッタ切替機構は、
前記第１洗浄ノズルを駆動して前記シャッタにおける前記回動軸よりも下方位置を前方に押圧することにより上開きを可能とし、
前記第２洗浄ノズルを駆動して前記シャッタにおける前記回動軸よりも上方位置を前方に押圧することにより下開きを可能とし、
前記ノズル駆動装置は、前記第２洗浄ノズルによる洗浄に際し、前記第１洗浄ノズルを駆動して上開きを開始させた後、前記第２洗浄ノズルを駆動することにより上開き状態を維持することを特徴とする請求項３に記載の局部洗浄装置。
【請求項５】
前記第１洗浄ノズルおよび前記シャッタの少なくとも一方における他方との当接面に、前記回動軸よりも下方にて当接方向に突出する第１係合部が設けられ、
前記第２洗浄ノズルおよび前記シャッタの少なくとも一方における他方との当接面に、前記回動軸よりも上方にて当接方向に突出する第２係合部が設けられていることを特徴とする請求項４に記載の局部洗浄装置。
【請求項６】
前記第１洗浄ノズルと前記第２洗浄ノズルとが互いに平行なツインノズルを構成し、
前記開口部における前記ツインノズルの両側で前記回動軸をそれぞれ支持する一対の回動支点を備えることを特徴とする請求項３〜５のいずれかに記載の局部洗浄装置。
【請求項７】
前記シャッタ切替機構は、
前記ノズル駆動装置により前記局部洗浄ノズルを駆動し、前記シャッタにおける前記回動軸よりも下方を前方に押圧することにより上開きを可能とする第１切替機構と、
前記ノズル駆動装置とは別のモータの駆動により前記シャッタを前記他方向に回動させることにより下開きを可能とする第２切替機構と、
を備えることを特徴とする請求項１に記載の局部洗浄装置。
【請求項８】
前記局部洗浄ノズルおよび前記シャッタの少なくとも一方における他方との当接面に、前記回動軸よりも下方にて当接方向に突出する係合部が設けられていることを特徴とする請求項７記載の局部洗浄装置。
【請求項９】
前記開口部における前記局部洗浄ノズルの両側で前記回動軸をそれぞれ支持する一対の回動支点を備えることを特徴とする請求項７又は８に記載の局部洗浄装置。
【請求項１０】
便器本体の後部上面に設けられ、前面に開口部を有するケースと、
前記ケースに収容され、前記開口部に吹出口が臨む送風ダクトと、
前記送風ダクトに風の流れを生成可能な送風装置と、
前記開口部の前面側に設けられ、水平方向の回動軸を中心に回動することにより前記開口部を開閉可能なシャッタと、
前記シャッタを一方向に回動させることにより前記シャッタを前記回動軸の上方に向けて開く上開きを可能とし、前記シャッタを他方向に回動させることにより前記シャッタを前記回動軸の下方に向けて開く下開きを可能とするシャッタ切替機構と、
を備えることを特徴とする送風切替装置。
【発明の詳細な説明】
【技術分野】
【０００１】
本発明は局部乾燥後の温風乾燥構造を有する装置に関する。
【背景技術】
【０００２】
局部洗浄装置には一般に、洗浄後の人体局部を乾燥させるための温風乾燥構造が設けられている。この温風乾燥方式として、例えばノズル伸縮式やシャッタ開閉式などがある。ノズル伸縮式は、温風供給用のノズルを伸縮させて送風位置を調整するものである。しかし、温風がノズルを通過する際の圧力損失が大きく、十分な風量を得難いといった問題がある。一方、シャッタ開閉式は、飛沫や汚物の装置内部への侵入を防止するためのシャッタを送風用のルーバーとして機能させるものであるが、ノズル伸縮式のような圧力損失の問題を生じさせることはない。局部洗浄ノズルの前面側に設けられるシャッタを温風乾燥に兼用することにより、部品点数の削減も可能となる（例えば特許文献１参照）。
【先行技術文献】
【特許文献】
【０００３】
【特許文献１】特開２００６−２８３３９５号公報
【発明の概要】
【発明が解決しようとする課題】
【０００４】
しかしながら、特許文献１に記載の構成では、局部洗浄時に飛沫や汚物をシャッタの内側面で受ける形となる。このため、その洗浄後にシャッタが閉じられた際、その内側面に付着した飛沫等が装置内部に侵入し易いといった問題があった。
【０００５】
本発明は、このような課題に鑑みてなされ、その目的の一つは、局部乾燥後の温風乾燥構造を有する装置において、局部洗浄時に発生した飛沫等が装置内部へ侵入することを効果的に防止又は抑制することにある。
【課題を解決するための手段】
【０００６】
本発明のある態様の局部洗浄装置は、便器本体の後部上面に設けられ、前面に開口部を有するケースと、ケースに収容され、開口部を通って前方に突出可能な局部洗浄ノズルと、局部洗浄ノズルを突出方向に駆動可能なノズル駆動装置と、ケースに収容され、開口部に吹出口が臨む温風ダクトと、温風ダクトに温風の流れを生成可能な温風発生装置と、開口部の前面側に設けられ、水平方向の回動軸を中心に回動することにより開口部を開閉可能なシャッタと、局部洗浄に際してシャッタを一方向に回動させることによりシャッタを回動軸の上方に向けて開く上開きを可能とし、温風乾燥に際してシャッタを他方向に回動させることによりシャッタを回動軸の下方に向けて開く下開きを可能とするシャッタ切替機構と、を備える。
【０００７】
この態様によると、局部洗浄時および温風乾燥時に開放される開口部を一つのシャッタにて開閉する構造が採用され、局部洗浄時と温風乾燥時とでシャッタの状態が上下に反転される形で切り替えられる。局部洗浄時には上開きによりシャッタの外側面が上面となるため、飛沫等がシャッタの内側面に付着する可能性は低い。一方、温風乾燥時には下開きによりシャッタの内側面が上面となるが、そもそも飛沫等が発生し難い状況であり問題とならない。すなわち、この態様によれば、一つのシャッタにより開口部を開閉する簡易な構成にて局部洗浄および温風乾燥を可能としつつ、局部洗浄時に発生した飛沫等の装置内部への侵入を効果的に防止又は抑制することができる。なお、当該局部洗浄装置が脱臭機能を備える場合、シャッタ切替機構は、便器本体内の脱臭のためにシャッタの上開きを可能とし、温風を下方の便鉢に向けて吹き出し可能とするものでもよい。
【０００８】
具体的には、ケース内から開口部を通って前方に突出可能な第１部材と第２部材とを備え、それらの部材が局部洗浄ノズルとして機能するものでもよい。シャッタ切替機構は、ノズル駆動装置によって第１部材および第２部材のいずれを少なくとも先に駆動するかによりシャッタを上開き又は下開きに動作させてもよい。一方の部材のみを駆動することにより上開きとなり、他方の部材のみを駆動することにより下開きとなるものでもよい。あるいは、一方の部材の駆動を開始した後に他方の部材を駆動することにより上開きとなり、他方のみを駆動することにより下開きとなるものでもよい。この態様によれば、局部洗浄用に設けられた部材を利用することにより、上述したシャッタの切替動作を実現することができる。温風乾燥用にシャッタを駆動する専用の構造が不要となるため、低コストに実現することができる。例えば、第１部材と第２部材とが二重管構造となって１つの局部洗浄ノズルを構成するものでもよい。その第１部材と第２部材とにより２段階に突出可能な構造とし、いずれを少なくとも先に駆動するかによりシャッタを上開き又は下開きに動作可能に構成してもよい。
【０００９】
あるいは、第１部材および第２部材としてケース内に並設され、局部洗浄ノズルとして互いに独立に機能可能な第１洗浄ノズルと第２洗浄ノズルを備えてもよい。シャッタ切替機構は、ノズル駆動装置によって第１洗浄ノズルおよび第２洗浄ノズルのいずれを少なくとも先に駆動するかによりシャッタを上開き又は下開きに動作させてもよい。一方の洗浄ノズルのみを駆動することにより上開きとなり、他方の洗浄ノズルのみを駆動することにより下開きとなるものでもよい。あるいは、一方の洗浄ノズルの駆動を開始した後に他方の洗浄ノズルを駆動することにより上開きとなり、他方のみを駆動することにより下開きとなるものでもよい。この態様によれば、局部洗浄用に設けられた洗浄ノズルを利用することにより、上述したシャッタの切替動作を実現することができる。温風乾燥用にシャッタを駆動する専用の構造が不要となるため、低コストに実現することができる。
【００１０】
このシャッタ切替機構は、第１洗浄ノズルを駆動してシャッタにおける回動軸よりも下方位置を前方に押圧することにより上開きを可能とし、第２洗浄ノズルを駆動してシャッタにおける回動軸よりも上方位置を前方に押圧することにより下開きを可能とするものでもよい。この態様によれば、いずれの洗浄ノズルを駆動するかにより、上述したシャッタの切替動作を簡易に実現することができる。ただし、第２洗浄ノズルを局部洗浄に使用する際に下開きとなると、シャッタの内側面に飛沫等が付着する従来と同様の問題が生じる。そこで、ノズル駆動装置は、第２洗浄ノズルによる洗浄に際し、第１洗浄ノズルを駆動して上開きを開始させた後、第２洗浄ノズルを駆動することにより上開き状態を維持してもよい。その場合、第１洗浄ノズルについては局部洗浄時よりも小さいストロークにて駆動させてよい。この態様は、第１洗浄ノズルを先に駆動してシャッタの回動方向を一旦上開きとすることで、その後に第２洗浄ノズルを駆動しても下開きとはならず、むしろその上開きを促進又は維持するようにしたものである。
【００１１】
例えば、第１洗浄ノズルおよびシャッタの少なくとも一方における他方との当接面に、回動軸よりも下方にて当接方向に突出する第１係合部が設けられてもよい。一方、第２洗浄ノズルおよびシャッタの少なくとも一方における他方との当接面に、回動軸よりも上方にて当接方向に突出する第２係合部が設けられてもよい。その場合、洗浄ノズルの先端部を軸線に対して斜めに切り欠いたようなテーパ状に構成してもよい。また、シャッタにおける洗浄ノズルとの対向面に、洗浄ノズルの軸心から偏心した隆起部を設けてもよい。
【００１２】
第１洗浄ノズルと第２洗浄ノズルとが互いに平行なツインノズルを構成し、開口部におけるツインノズルの両側で回動軸をそれぞれ支持する一対の回動支点を備えてもよい。この態様によれば、シャッタをその幅方向に離れた位置で２点支持することができ、その回動安定性を高めることができる。
【００１３】
シャッタ切替機構は、ノズル駆動装置により局部洗浄ノズルを駆動し、シャッタにおける回動軸よりも下方を前方に押圧することにより上開きを可能とする第１切替機構と、ノズル駆動装置とは別のモータの駆動によりシャッタを他方向に回動させることにより下開きを可能とする第２切替機構と、を備えてもよい。
【００１４】
この態様は、例えば局部洗浄ノズルを１本のみ備える局部洗浄装置に好適である。この態様によれば、局部洗浄ノズルを駆動したときに必ず上開きとなるため、飛沫等がシャッタの内側面に付着する可能性は低く、局部洗浄時に発生した飛沫等の装置内部への侵入を効果的に防止又は抑制することができる。
【００１５】
局部洗浄ノズルおよびシャッタの少なくとも一方における他方との当接面に、回動軸よりも下方にて当接方向に突出する係合部が設けられていてもよい。この態様によれば、簡易な機械的構造により上述したシャッタの動作を実現することができる。
【００１６】
また、開口部における局部洗浄ノズルの両側で回動軸をそれぞれ支持する一対の回動支点を備えてもよい。この態様によれば、シャッタをその幅方向に離れた位置で２点支持することができ、その回動安定性を高めることができる。
【００１７】
本発明の別の態様は、送風切替装置である。この送風切替装置は、便器本体の後部上面に設けられ、前面に開口部を有するケースと、ケースに収容され、開口部に吹出口が臨む送風ダクトと、送風ダクトに風の流れを生成可能な送風装置と、開口部の前面側に設けられ、水平方向の回動軸を中心に回動することにより開口部を開閉可能なシャッタと、シャッタを一方向に回動させることによりシャッタを回動軸の上方に向けて開く上開きを可能とし、シャッタを他方向に回動させることによりシャッタを回動軸の下方に向けて開く下開きを可能とするシャッタ切替機構と、を備える。
【００１８】
ここで、シャッタ切替機構によりシャッタを下開きとすることにより、温風乾燥用の温風を吹き出し可能としてもよい。また、シャッタ切替機構によりシャッタを上開きとすることにより、脱臭用の風を下方の便鉢に向けて吹き出し可能としてもよい。その場合、温風乾燥用の温風を利用してもよい。あるいは、シャッタ切替機構によりシャッタを上開きとすることにより、開口部から局部洗浄ノズルを突出可能としてもよい。あるいは、便鉢に除菌用の液体（除菌水）を噴射可能な装置を備える構成において、シャッタ切替機構によりシャッタを上開きとすることにより、開口部から除菌水を噴射するためのノズルを突出可能としてもよい。
【００１９】
この態様によると、シャッタの状態が上下に反転される形で切り替え可能とされている。このため、温風乾燥時にシャッタを下開きとする一方、少なくとも局部洗浄時にはシャッタを下開きとしないことで、局部洗浄時に発生した飛沫等の装置内部への侵入を効果的に防止又は抑制することができる。
【発明の効果】
【００２０】
本発明によれば、局部乾燥後の温風乾燥構造を有する装置において、局部洗浄時に発生した飛沫等が装置内部へ侵入することを効果的に防止又は抑制することができる。
【図面の簡単な説明】
【００２１】
【図１】第１実施形態に係る局部洗浄装置を備える大便器をその前方斜め上方からみた斜視図である。
【図２】図１において便蓋、便座および局部洗浄装置のカバーを取り外した状態を示す斜視図である。
【図３】局部洗浄装置の内部構造を表す図である。
【図４】局部洗浄装置の内部構造を表す図である。
【図５】シャッタの構成および動作を表す図である。
【図６】シャッタの構成および動作を表す図である。
【図７】シャッタの動作を表す図である。
【図８】シャッタの動作を表す図である。
【図９】肛門洗浄時の洗浄ノズルの駆動制御方法を表す図である。
【図１０】温風乾燥時の洗浄ノズルの駆動制御方法を表す図である。
【図１１】ビデ洗浄時の洗浄ノズルの駆動制御方法を表す図である。
【図１２】第２実施形態に係る局部洗浄ノズルの構造を表す図である。
【図１３】局部洗浄装置の作動状態を示す正面図である。
【図１４】肛門洗浄時の洗浄ノズルの駆動制御方法を表す図である。
【図１５】温風乾燥時の洗浄ノズルの駆動制御方法を表す図である。
【発明を実施するための形態】
【００２２】
以下、本発明の実施形態を、図面を参照して詳細に説明する。なお、以下の説明においては便宜上、便座に着座する大便器の利用者からみた位置関係に基づいて大便器構造の前後の位置関係を表現することがある。
【００２３】
［第１実施形態］
図１は、第１実施形態に係る局部洗浄装置を備える大便器をその前方斜め上方からみた斜視図である。図２は、図１において便蓋、便座および局部洗浄装置のカバーを取り外した状態を示す斜視図である。
【００２４】
図１に示すように、大便器１は、水洗式大便器であり、便器本体２の後部に局部洗浄装置４を備える。局部洗浄装置４は、局部洗浄および温風乾燥のための各種機能部品を収容するケース６を備える。ケース６は、便器本体２の後部上面に設置されるベース８と、ベース８に組み付けられるカバー１０を有する。カバー１０には、便座１２および便蓋１４がそれぞれ回動可能に取り付けられている。なお、大便器１は、このほかにも洗浄水を貯留するタンク、洗浄水を供給するためのポンプや弁等の各種機能部品や配管等を備えるが、それらの説明については省略する。
【００２５】
図２に示すように、便器本体２は、汚物を受ける便鉢１５と、便鉢１５の底部から下方に延びる図示しない排水管部を有する。図示を省略するが、便鉢１５の上部には、その周縁に沿って洗浄水の旋回流を生成するためのリム通水路と、その旋回流を排水管部に向けて落とし込む流れを生成するための落とし込み流路が形成されている。
【００２６】
局部洗浄装置４は、一対の局部洗浄ノズルを含むノズルユニット１６、ノズルユニット１６に温水を供給するための温水供給ユニット１８、温風乾燥時に駆動される温風乾燥ユニット２０、便器本体２にて発生する臭気を脱臭するための脱臭ユニット２２、各ユニットの駆動を制御するための制御基板２４、制御基板２４や各種機能部品に電力を供給するための電源基板２６等を備える。
【００２７】
図３および図４は、局部洗浄装置４の内部構造を表す図である。図３（ａ）は斜視図であり、図３（ｂ）は平面図である。図４（ａ）は正面図である。図４（ｂ）は図４（ａ）のＡ−Ａ矢視断面図であり、図４（ｃ）は図４（ａ）のＢ−Ｂ矢視断面図である。なお、各図においては説明の便宜上、局部洗浄装置４のカバー１０、ノズルユニット１６のカバー、制御基板２４、電源基板２６等が取り外された状態が示されている。
【００２８】
図３（ａ）および（ｂ）に示すように、ベース８の中央にノズルユニット１６が配置されている。ノズルユニット１６は、一対の局部洗浄ノズル（ツインノズル）として洗浄ノズル３０，３２を並設して構成されている。洗浄ノズル３０は肛門洗浄用ノズルであり、「第１洗浄ノズル」として機能する。洗浄ノズル３２はビデ用ノズルであり、「第２洗浄ノズル」として機能する。洗浄ノズル３０，３２は、ベース８に設けられた支持構造により、前方に向かって下方に傾斜し、かつ互いに平行となるように支持されている。洗浄ノズル３０，３２は、それぞれ下方に位置する先端部に洗浄水を吐出する吐出孔３１，３３を有する。ベース８（ケース６）の前面中央には長方形状の開口部３４が設けられており、洗浄ノズル３０，３２は、その開口部３４を通って前方に突出可能とされている。ベース８の前面側には開口部３４を開閉するためのシャッタ３６が設けられているが、その構造および動作の詳細については後述する。
【００２９】
温水供給ユニット１８は、ベース８における右側スペースに配置され、個別の配管を介して洗浄ノズル３０，３２のそれぞれに接続されている。温水供給ユニット１８は、制御基板２４からの指令に基づき、設定温度に調温された温水を洗浄ノズル３０，３２へ供給する。
【００３０】
温風乾燥ユニット２０は、ベース８における左側スペースに配置されている。温風乾燥ユニット２０は、温風発生装置３８および温風ダクト４０を備える。温風発生装置３８は、温風ダクト４０の上流側に配設されたファン４２（送風機）と、温風ダクト４０の中途に配設されたヒータ４４を備える。温風ダクト４０の上流端は、図示しない空気の取込口となっており、大気につながっている。温風ダクト４０の下流端は、温風の吹出口４６として開口部３４に臨んでいる（図４（ａ）参照）。ファン４２の駆動により温風ダクト４０に外気が導入され、ヒータ４４にて温められる。このヒータ４４を経た温風が、吹出口４６から前方に吹き出される。
【００３１】
脱臭ユニット２２は、ベース８の中央にてノズルユニット１６を取り囲むように配置されている。脱臭ユニット２２は、ノズルユニット１６を取り囲むように配置された脱臭ダクト４８と、脱臭ダクト４８の中途に設けられたファン５０（送風機）と、ファン５０の上流側に配置された脱臭カートリッジ５２と、ファン５０の下流側に配置された除菌ユニット５４を備える。
【００３２】
脱臭カートリッジ５２は、脱臭用の触媒を内蔵し、通過する空気に含まれる臭気を取り除く。本実施形態では活性炭等を触媒とする吸着型の脱臭剤を採用するが、光触媒のように紫外線等の光線を照射することによって物質を分解する機能を有する分解型のものを採用してもよい。除菌ユニット５４は、除菌イオンを発生させ、浮遊菌の繁殖を抑制しまた除菌するものである。具体的には、空気を電離させてプラスイオンとマイナスイオンを生じさせ、そのプラスイオンとマイナスイオンにより浮遊菌を取り囲んでこれを不活化するものである。
【００３３】
脱臭ダクト４８は「脱臭通路」として機能する。脱臭ダクト４８の上流端は、臭気を含む空気の吸込口５６として開口部３４に臨んでいる（図４（ａ）参照）。一方、脱臭ダクト４８の下流側端部は、温風ダクト４０におけるヒータ４４の下流側に接続されている。
【００３４】
すなわち、温風ダクト４０の下流側端部は、脱臭通路と温風通路との共用通路５８とされている。温風ダクト４０の吹出口４６は、脱臭ダクト４８の吹出口として兼用されている。共用通路５８の上流端、つまり脱臭ダクト４８と温風ダクト４０との接続部には、通路切り替えおよび風量調整用のダンパ６０が配設されている。ダンパ６０の調整角度により、温風ダクト４０と脱臭ダクト４８との開口比率を調整することができる。
【００３５】
図４（ａ）および（ｂ）に示すように、洗浄ノズル３０は円柱状をなし、ラックアンドピニオン機構により軸線方向に駆動される。洗浄ノズル３０の下面にはラック６２が形成されており、ピニオン６４が噛合している。ピニオン６４は、ギヤ機構６６を介してモータ６８の回転軸７０に接続されている。このような構成により、モータ６８を一方向に回転させると、洗浄ノズル３０を軸線方向下方に移動させることができ、開口部３４を通って前方に突出させることができる。また、その状態からモータ６８を他方向に回転させることにより、洗浄ノズル３０を軸線方向上方に移動させることができ、開口部３４の後方に退避させることができる。これらモータ６８およびラックアンドピニオン機構が、「ノズル駆動装置」を構成する。本実施形態では、洗浄ノズル３０を下方に駆動することにより、シャッタ３６を回動させながら押し開くことができる。
【００３６】
図４（ａ）および（ｃ）に示すように、洗浄ノズル３２も円柱状をなし、ラックアンドピニオン機構により軸線方向に駆動される。洗浄ノズル３２の下面にはラック７２が形成されており、ピニオン７４が噛合している。ピニオン７４は、ギヤ機構７６を介してモータ７８の回転軸８０に接続されている。このような構成により、モータ７８を一方向に回転させると、洗浄ノズル３２を軸線方向下方に移動させることができ、開口部３４を通って前方に突出させることができる。また、その状態からモータ７８を他方向に回転させることにより、洗浄ノズル３２を軸線方向上方に移動させることができ、開口部３４の後方に退避させることができる。これらモータ７８およびラックアンドピニオン機構が、「ノズル駆動装置」を構成する。本実施形態では、洗浄ノズル３２を下方に駆動することにより、シャッタ３６を回動させながら押し開くことができる。
【００３７】
図５および図６は、シャッタ３６の構成を表す図である。図５（ａ）は斜め前方からみた斜視図を示し、図５（ｂ）は平面図を示し、図５（ｃ）は斜め後方からみた斜視図を示す。図６（ａ）は閉鎖状態を示す側面図であり、図６（ｂ）は上開き状態を示す側面図であり、図６（ｃ）は図５（ｂ）のＣ−Ｃ方向矢視図である。図６（ｄ）は図５（ｂ）のＤ−Ｄ方向矢視図である。図６（ｅ）は図５（ｂ）のＥ−Ｅ方向矢視図である。
【００３８】
図５（ａ）〜（ｃ）に示すように、シャッタ３６は、概ね長方形状をなし、上下方向中央が前方にやや膨出するような湾曲面を有する。図示の閉鎖状態においては、シャッタ３６の前面が便鉢１５側に露出する外側面８２となり、背面が装置内部側（ケース６の内方）を向く内側面８４となる。その内側面８４には、一対の回動支持機構８６が着脱可能に組み付けられる。回動支持機構８６は、他方でケース６の開口部３４に設けられた一対の取付孔に着脱可能に組み付けられる。一対の回動支持機構８６は、シャッタ３６の両端部を回動可能に支持するための後述する回動軸８８（図６参照）を有する。この回動支持機構８６の詳細については後述する。
【００３９】
図５（ｃ）に示すように、シャッタ３６の内側面８４の中央部には、係合突起９０，９２が幅方向に間隔をあけて設けられている。係合突起９０は「第１係合部」として機能し、係合突起９２は「第２係合部」として機能する。これらの係合突起９０，９２は、それぞれ洗浄ノズル３０，３２に対向する位置に設けられる。ただし、係合突起９０，９２は、対応する洗浄ノズルとの協働によりシャッタ３６の上開き又は下開きを可能とするよう内側面８４からの突出形状が異なっている。
【００４０】
すなわち、係合突起９０は、シャッタ３６の閉鎖状態において頂点が回動軸８８の軸線Ｌよりも下方に位置するよう突出形状が定められている。一方、係合突起９２は、シャッタ３６の閉鎖状態において頂点が回動軸８８の軸線Ｌよりも上方に位置するよう突出形状が定められている。このような構成により、洗浄ノズル３０が係合突起９０を前方に押圧すると、シャッタ３６における回動軸８８よりも下方位置を前方に押圧する力が作用し、シャッタ３６が上開き可能となる。また、洗浄ノズル３２が係合突起９２を前方に押圧すると、シャッタ３６における回動軸８８よりも上方位置を前方に押圧する力が作用し、シャッタ３６が下開き可能となる。
【００４１】
なお、本実施形態において、上述したノズル駆動装置、回動支持機構８６およびシャッタ３６の構造が、シャッタ３６の閉鎖状態、上開き状態および下開き状態を切り替える「シャッタ切替機構」として機能する。この上開きおよび下開きを実現する構成および動作の詳細については後述する。
【００４２】
図６（ａ）〜（ｃ）に示すように、回動支持機構８６は、有底筒状のケース９４にスライドアーム９６を部分的に内挿するように組み付けて構成されている。スライドアーム９６は、外筒９８と内筒１００を同心状に組み付けた二重構造を有する。外筒９８はケース９４に摺動可能に支持され、内筒１００は外筒９８に摺動可能に支持されている。内筒１００にはシャッタアーム１０２が回動可能に組み付けられている。
【００４３】
外筒９８の両側壁には、軸線方向に延びる所定長さのスリット１０４が形成され、内筒１００の両側壁に突出したガイド軸１０６を挿通している。これにより、内筒１００は、スリット１０４におけるガイド軸１０６の可動範囲において外筒９８と相対変位可能とされている。一方、内筒１００の両側壁にも軸線方向に延びる所定長さのスリット１０８が形成され、シャッタアーム１０２の基端部に設けられた回動軸８８を挿通している。これにより、シャッタアーム１０２は、スリット１０８における回動軸８８の可動範囲において内筒１００と相対変位可能とされている。すなわち、回動軸８８は、シャッタ３６が回動するときの中心となる回動支点であるとともに、シャッタ３６の前後方向に動作可能な可動支点（可動軸）でもある。
【００４４】
図６（ｃ）に示すように、ケース９４の底部と内筒１００との間には、内筒１００を引っ張り方向に付勢するスプリング１１０が介装されている。スプリング１１０は、その一端がケース９４の底部に固定され、他端が回動軸８８に固定されている。シャッタアーム１０２の先端には、嵌合用の爪部１１２が設けられている。一方、シャッタ３６の内側面８４におけるシャッタアーム１０２との対向面には、嵌合用の突起１１４が設けられている。突起１１４の先端は水平方向に延びる軸部１１６とされており、爪部１１２がその軸部１１６を挟むように着脱可能に接続されている。爪部１１２は、シャッタ３６の一部を把持する「チャック機構」として機能する。シャッタアーム１０２がシャッタ３６に接続されると、図示のように回動軸８８と軸部１１６とが同一水平面に並ぶ。回動支持機構８６がケース６に取り付けられると、一対の回動軸８８が水平方向に延在してシャッタ３６を回動可能に支持する。
【００４５】
図示のように、爪部１１２の幅が外筒９８の開口幅よりも大きいため、爪部１１２が外筒９８内に入り込むことはなく、外筒９８の開口端にて係止される。また、ケース９４の開口端がやや縮径され、係止部１１８を構成する。一方、外筒９８の後端部には外方に延出するフランジ部１２０が設けられている。このため、外筒９８が前方に変位しても、フランジ部１２０が係止部１１８に係止されることでその脱落は防止される。このような構成により、シャッタ３６に前方への押圧力が作用すると、スライドアーム９６が変位するとともに伸長する。その押圧力が解除されると、スプリング１１０の付勢力によりスライドアーム９６が縮小しつつ変位し、図示の状態に戻るようになる。
【００４６】
図６（ｄ）に示すように、シャッタ３６には、洗浄ノズル３０と対向する位置に係合突起９０が設けられている。シャッタ３６の閉鎖状態においては図示のように、この係合突起９０の頂点が回動軸８８よりも下方に位置し、両者の上下方向の距離ｈ１が確保される。このため、洗浄ノズル３０が駆動されると、シャッタ３６を回動軸８８を中心に図中時計回りに回動させるモーメント力が作用する。すなわち、シャッタ３６を回動軸８８の上方に向けて開く上開きの回動力が作用するようになる。
【００４７】
一方、図６（ｅ）に示すように、シャッタ３６には、洗浄ノズル３２と対向する位置に係合突起９２が設けられている。シャッタ３６の閉鎖状態においては図示のように、この係合突起９２の頂点が回動軸８８よりも上方に位置し、両者の上下方向の距離ｈ２が確保される。このため、洗浄ノズル３２が駆動されると、シャッタ３６を回動軸８８を中心に図中反時計回りに回動させるモーメント力が作用する。すなわち、シャッタ３６を回動軸８８の下方に向けて開く下開きの回動力が作用するようになる。
【００４８】
図７および図８は、シャッタ３６の動作を表す図である。図７（ａ）は閉鎖状態を示す側面図であり、図７（ｂ）は上開き状態を示す断面図であり、図７（ｃ）は下開き状態を示す断面図である。図８（ａ）は閉鎖状態を示す斜視図であり、図８（ｂ）は上開き状態を示す斜視図であり、図８（ｃ）は下開き状態を示す斜視図である。
【００４９】
シャッタ３６に外力が作用しない状況では、図７（ａ）および図８（ａ）に示すようにスプリング１１０が縮んだ状態を保つため、スライドアーム９６も縮小した状態となる。このため、シャッタ３６が回動支持機構８６に引き寄せられ、開口部３４を閉鎖する閉鎖状態となる。
【００５０】
この閉鎖状態から洗浄ノズル３０が駆動されてシャッタ３６が前方に押圧されると、図７（ｂ）および図８（ｂ）に示すように、スプリング１１０の付勢力に抗してスライドアーム９６が伸長する。このとき、上述のようにシャッタ３６における回動軸８８よりも下方位置が押圧されるため、シャッタアーム１０２が回動軸８８を中心に上方に回動し、シャッタ３６が上開き状態となる。
【００５１】
一方、閉鎖状態から洗浄ノズル３２が駆動されてシャッタ３６が前方に押圧されると、図７（ｃ）および図８（ｃ）に示すように、スプリング１１０の付勢力に抗してスライドアーム９６が伸長する。このとき、上述のようにシャッタ３６における回動軸８８よりも上方位置が押圧されるため、シャッタアーム１０２が回動軸８８を中心に下方に回動し、シャッタ３６が下開き状態となる。
【００５２】
次に、局部洗浄装置４の制御方法について説明する。
図９は、肛門洗浄時の洗浄ノズルの駆動制御方法を表す図である。図９（ａ）は洗浄ノズルの作動状態を示す斜視図である。図９（ｂ）および（ｃ）は、洗浄ノズルの制御過程を示す主要断面図である。図１０は、温風乾燥時の洗浄ノズルの駆動制御方法を表す図である。図１０（ａ）は洗浄ノズルの作動状態を示す斜視図である。図１０（ｂ）および（ｃ）は、洗浄ノズルの制御過程を示す主要断面図である。図１１は、ビデ洗浄時の洗浄ノズルの駆動制御方法を表す図である。図１１（ａ）は洗浄ノズルの作動状態を示す斜視図である。図１１（ｂ）および（ｃ）は、洗浄ノズルの制御過程を示す主要断面図である。
【００５３】
図９に示すように、肛門洗浄時においては、洗浄ノズル３０のみを突出方向に駆動する。それにより、洗浄ノズル３０が係合突起９０を押圧し、シャッタ３６を上開き状態にすることができる。この上開き状態では、シャッタ３６の外側面８２が上面となるため、洗浄時に発生した飛沫等がシャッタ３６の内側面８４に付着する可能性は低い。そのため、洗浄後にシャッタ３６を閉じた際に、飛沫等がケース６内に侵入することを防止又は抑制することができる。
【００５４】
図１０に示すように、温風乾燥時においては、洗浄ノズル３２のみを突出方向に駆動する。それにより、洗浄ノズル３２が係合突起９２を押圧し、シャッタ３６を下開き状態にすることができる。そして、温風乾燥ユニット２０を駆動して温風を流す。このとき、シャッタ３６がルーバーとして機能し、そのシャッタ３６の角度に応じて温風が方向転換され、使用者の臀部へと導かれる。シャッタ３６の角度は、洗浄ノズル３２の突出量を調整することにより変化させることができる。シャッタ３６の角度は、連続的に変化させてもよいし、段階的に変化させてもよい。その際、シャッタ３６の回動速度を適宜変更することができる。この下開き状態では、シャッタ３６の内側面８４が上面となるが、温風乾燥時はそもそも飛沫等が発生し難く、シャッタ３６の内側面８４に付着する可能性は低い。そのため、洗浄後にシャッタ３６を閉じた際に、飛沫等がケース６内に侵入することを防止又は抑制することができる。
【００５５】
図１１に示すように、ビデ洗浄時においては、まず洗浄ノズル３０を突出方向に駆動し、シャッタ３６の上開きのきっかけをつくる。このとき、洗浄ノズル３０の突出量はその上開きのきっかけができる程度であればよく、肛門洗浄時のように大きく突出させなくてよい。本実施形態では、洗浄ノズル３０がシャッタ３６により隠れる程度とする。続いて、洗浄ノズル３２を突出方向に駆動する。それにより、洗浄ノズル３２は係合突起９２を押圧することなく、シャッタ３６の下方をすり抜けるように洗浄位置まで突出する。
【００５６】
このように、洗浄ノズル３０を駆動して上開きを開始させた後、洗浄ノズル３２を駆動することによりその上開き状態を維持することができる。このようにしてなされた上開き状態においてもシャッタ３６の外側面８２が上面となるため、洗浄時に発生した飛沫等がシャッタ３６の内側面８４に付着する可能性は低い。そのため、洗浄後にシャッタ３６を閉じた際に、飛沫等がケース６内に侵入することを防止又は抑制することができる。
【００５７】
以上に説明したように、本実施形態の局部洗浄装置４によれば、局部洗浄時および温風乾燥時に開放される開口部３４を一つのシャッタ３６にて開閉する構造が採用され、局部洗浄時と温風乾燥時とでシャッタ３６の状態が上下に反転される形で切り替えられる。局部洗浄に関しては肛門洗浄時およびビデ洗浄時ともにシャッタ３６が上開きとなるため、その洗浄時および洗浄後に飛沫等が装置内部へ侵入する可能性は低い。また、温風乾燥時にはシャッタ３６が下開きとなるが、そもそも飛沫等が発生し難い状況であり問題とならない。その結果、装置内部への飛沫等の侵入を効果的に防止又は抑制することができる。
【００５８】
また、シャッタ３６の開閉状態の切り替えを局部洗浄用に設けられた２つの洗浄ノズルを利用して実現するため、温風乾燥用にシャッタを駆動する専用の構造が不要となり、低コストに実現することができる。さらに、シャッタ３６を回動させるための一対の回動支持機構８６をそのシャッタ３６の両端に配置したため、回動制御時の安定性を維持することができる。
【００５９】
［第２実施形態］
本実施形態の局部洗浄装置は、局部洗浄ノズルとシャッタとの係合構造が異なる点を除き、第１実施形態と同様の構成を有する。このため、以下において第１実施形態と同様の構成部分については同一の符号を付すなどして、その説明を省略する。図１２は、第２実施形態に係る局部洗浄ノズルの構造を表す図である。図１２（ａ）は２つの洗浄ノズルの正面図であり、（ｂ）は肛門洗浄用ノズルの側面図であり、（ｃ）はビデ用ノズルの側面図である。
【００６０】
上記第１実施形態では、洗浄ノズル３０，３２として一般的な構造を有するもの、つまりその先端面が軸線に対して垂直となる円柱状のものを採用した。一方、シャッタ３６に互いに形状が異なる係合突起９０、９２（隆起部）を設けることで、洗浄ノズル３０，３２のいずれが駆動されるかによりシャッタ３６が上開き又は下開きとなるようにした。本実施形態では、２つの洗浄ノズルの先端形状をテーパ状とし、そのテーパ面の向きを互いに異ならせることで、シャッタの上開きおよび下開き動作を可能としている。
【００６１】
すなわち、図１２に示すように、肛門洗浄用の洗浄ノズル２３０と、ビデ等の洗浄ノズル２３２が設けられる。洗浄ノズル２３０は、第１実施形態の洗浄ノズル３０の先端にテーパ状の押圧部材２４０を装着したものである。これにより、洗浄ノズル２３０の先端部には、軸線に対して斜めに切り欠かれたようなテーパ面２４２が形成される。このテーパ面２４２が上方を向くように形成されている。このため、洗浄ノズル２３０の先端部は、テーパ面２４２の下方に向かうほど前方に突き出る形状となる。本実施形態では、この洗浄ノズル２３０の先端部が「第１係合部」として機能する。このような構成により、洗浄ノズル２３０を突出方向に駆動すると、図示しないシャッタをその回動軸よりも下方位置にて押圧することになる。なお、洗浄ノズル２３０にこのような形状を採用したため、シャッタには第１実施形態のような係合突起９０は設けられていない。
【００６２】
一方、洗浄ノズル２３２は、第１実施形態の洗浄ノズル３２の先端にテーパ状の押圧部材２４４を装着したものである。これにより、洗浄ノズル２３２の先端部には、軸線に対して斜めに切り欠かれたようなテーパ面２４６が形成される。このテーパ面２４６が下方を向くように形成されているため、洗浄ノズル２３２の先端部はテーパ面２４６の上方に向かうほど前方に突き出る形状となる。本実施形態では、この洗浄ノズル２３２の先端部が「第２係合部」として機能する。このような構成により、洗浄ノズル２３２を突出方向に駆動すると、シャッタをその回動軸よりも上方位置にて押圧することになる。なお、洗浄ノズル２３２にこのような形状を採用したため、シャッタには第１実施形態のような係合突起９２は設けられていない。
【００６３】
次に、局部洗浄装置２０４の制御方法について説明する。
図１３は、局部洗浄装置２０４の作動状態を示す正面図である。図１３（ａ）は局部洗浄時を示し、図３（ｂ）は温風乾燥時を示す。図１４は、肛門洗浄時の洗浄ノズルの駆動制御方法を表す図である。図１４（ａ）および（ｂ）は、図１３のＡ−Ａ矢視断面図に相当し、洗浄ノズル２３０の制御過程を示す。図１５は、温風乾燥時の洗浄ノズルの駆動制御方法を表す図である。図１５（ａ）および（ｂ）は、図１３のＢ−Ｂ矢視断面図に相当し、洗浄ノズルの制御過程を示す。
【００６４】
本実施形態においても、局部洗浄時および温風乾燥の双方においてノズルユニット２１６を駆動する。肛門洗浄時においては、図１３（ａ），図１４（ａ）および（ｂ）に示すように、洗浄ノズル２３０のみを突出方向に駆動する。それにより、洗浄ノズル２３０がシャッタ２３６の内側面８４を前方に押圧する。このとき、上述のように押圧部材２４０の先端がシャッタ２３６における回動軸よりも下方位置を押圧するため、シャッタ２３６を上開き状態にすることができる。この上開き状態では、シャッタ２３６の外側面８２が上面となるため、洗浄時に発生した飛沫等がシャッタ２３６の内側面８４に付着する可能性は低い。そのため、洗浄後にシャッタ２３６を閉じた際に、飛沫等がケース６内に侵入することを防止又は抑制することができる。
【００６５】
一方、温風乾燥時においては、図１３（ｂ），図１５（ａ）および（ｂ）に示すように、洗浄ノズル２３２のみを突出方向に駆動する。それにより、洗浄ノズル２３２がシャッタ２３６の内側面８４を前方に押圧する。このとき、上述のように押圧部材２４４の先端がシャッタ２３６における回動軸よりも上方位置を押圧するため、シャッタ２３６を下開き状態にすることができる。この下開き状態では、シャッタ２３６の内側面８４が上面となるが、温風乾燥時はそもそも飛沫等が発生し難く、シャッタ２３６の内側面８４に付着する可能性は低い。そのため、洗浄後にシャッタ２３６を閉じた際に、飛沫等がケース６内に侵入することを防止又は抑制することができる。
【００６６】
なお、ビデ洗浄時については図示を省略するが、第１実施形態と同様に、まず洗浄ノズル２３０を突出方向に駆動し、シャッタ２３６の上開きのきっかけをつくる。続いて、洗浄ノズル２３２を突出方向に駆動する。すなわち、洗浄ノズル２３０を駆動して上開きを開始させた後、洗浄ノズル２３２を駆動することによりその上開き状態を維持することができる。このようにしてなされた上開き状態においてもシャッタ２３６の外側面８２が上面となるため、洗浄時に発生した飛沫等がシャッタ２３６の内側面８４に付着する可能性は低い。そのため、洗浄後にシャッタ２３６を閉じた際に、飛沫等がケース６内に侵入することを防止又は抑制することができる。
【００６７】
以上に説明したように、本実施形態の局部洗浄装置２０４おいても、局部洗浄時および温風乾燥時に開放される開口部３４を一つのシャッタ２３６にて開閉する簡素な構造にもかかわらず、装置内部への飛沫等の侵入を効果的に防止又は抑制することができる。また、シャッタ２３６の開閉状態の切り替えを局部洗浄用に設けられた２つの洗浄ノズルに押圧部材２４０，２４４をそれぞれ取り付けるだけでよいため、低コストに実現することができる。
【００６８】
以上、本発明の好適な実施形態について説明したが、本発明はその特定の実施形態に限定されるものではなく、本発明の技術思想の範囲内で種々の変形が可能であることはいうまでもない。
【００６９】
上記実施形態では述べなかったが、肛門洗浄時および温風乾燥時においても、２つの洗浄ノズルの双方を駆動させるようにしてもよい。すなわち、肛門洗浄時において、まず２つの洗浄ノズルを同時に少量駆動して停止させることで回動支持機構８６のスプリング１１０にテンションをかけ、その後に肛門洗浄用ノズル（洗浄ノズル３０，２３０）を突出方向に駆動してシャッタを回動させてもよい。同様に、温風乾燥時において、まず２つの洗浄ノズルを同時に少量駆動して停止させることでスプリング１１０にテンションをかけ、その後にビデ用ノズル（洗浄ノズル３２，２３２）を突出方向に駆動してシャッタを回動させてもよい。このように、シャッタの回動前に回動軸にテンションをかけることでその回動支点の支持剛性を高めることができ、シャッタのふらつきを抑えることができる。それにより、その後にシャッタを安定に回動させることができる。
【００７０】
上記第２実施形態では、洗浄ノズル２３０，２３２に対し、別体で用意した押圧部材２４０，２４４をそれぞれ装着する構成を例示した。変形例においては、洗浄ノズル２３０，２３２の成形段階において先端部形状をテーパ状にしてもよい。それにより、加工コストを低減することができる。また、洗浄ノズル２３０，２３２の先端部形状として、先端面における前方への突出量が異なる段付形状など、テーパ形状と異なる形状を採用してもよい。洗浄ノズル２３０についてはシャッタ２３６における回動軸よりも下方位置を押圧できる形状であればよく、洗浄ノズル２３２についてはシャッタ２３６における回動軸よりも上方位置を押圧できる形状であればよい。
【００７１】
上記実施形態では、図７に示したように、シャッタ３６の回動支点（回動軸８８）をシャッタアーム１０２の基端部、つまり回動支持機構８６側に設ける構成を例示した。変形例においては、その回動支点をシャッタ３６側に設けてもよい。例えば、図７に示した軸部１１６を回動軸として構成してもよい。
【００７２】
上記実施形態では、図７に示したように、シャッタ３６の上下方向中間部に回動軸８８を設け、１つの軸線周りに回動させる構成（一対の回動軸８８は同一軸線上に配置される）を例示した。変形例においては、シャッタ３６の上側および下側にそれぞれ回動軸を設け、シャッタ３６を上側の回動軸周りに回動させることにより上開き可能とし、下側の回動軸周りに回動させることにより下開き可能としてもよい。その場合、上下の軸を切り替える切り替え機構を設けるようにする。
【００７３】
上記実施形態では、肛門洗浄用ノズルを「第１洗浄ノズル」とし、ビデ用ノズルを「第２洗浄ノズル」とする構成を例示した。変形例においては逆に、ビデ用ノズルを「第１洗浄ノズル」とし、肛門洗浄用ノズルを「第２洗浄ノズル」としてもよい。すなわち、ビデ洗浄時にはビデ用ノズルのみを駆動してシャッタを上開きとし、肛門洗浄時にはビデ用ノズルを少量駆動した後に肛門洗浄用ノズルを駆動してシャッタを上開きとしてもよい。具体的には、第１実施形態における洗浄ノズル３０，３２に対応する係合突起９０，９２を入れ替えるか、あるいは第２実施形態における洗浄ノズル２３０，２３２の押圧部材２４０，２４４を入れ替えればよい。そして、洗浄ノズルの駆動順序を上記実施形態とは逆にすることで実現することができる。
【００７４】
上記実施形態では、局部洗浄ノズルを一対の洗浄ノズル（ツインノズル）とする構成を例示した。変形例においては、局部洗浄ノズルを１本のみ設けてもよい。その場合、その局部洗浄ノズルおよびその駆動機構を、上記第１，第２実施形態の洗浄ノズル３０，２３０と同様としてもよい。そして、それらによりシャッタにおける回動軸よりも下方位置を前方に押圧することにより上開きを可能とする第１切替機構を構成してもよい。一方、温風乾燥時におけるシャッタの下開きを可能とするために、シャッタに下開き用の軸を設け、モータ等の駆動装置により直接回動させてもよい。そして、モータ等の駆動機構をシャッタの下開きを可能とする第２切替機構としてもよい。あるいは、開口部３４の近傍に前後方向に可動である押出ピンを設けてもよい。この押出ピンを前方に駆動することにより、シャッタを下開き方向に押圧可能としてもよい。この押出ピンの進退駆動を、モータと、そのモータの回転運動を押出ピンの並進運動に変換する作動変換機構とにより実現してもよい。そして、そのモータおよび作動変換機構を第２切替機構としてもよい。
【００７５】
あるいは、先端形状が上下に非対称の局部洗浄ノズルを１本のみ設け、この局部洗浄ノズルを自軸周りに１８０度回転させることにより、先端面の突出位置を変更できる構成としてもよい。そして、下側が突出したときにその先端がシャッタの回動軸よりも下方に位置し、その状態でシャッタを前方に押圧することにより上開き可能としてもよい。また、上側が突出したときにその先端がシャッタの回動軸よりも上方に位置し、その状態でシャッタを前方に押圧することにより下開き可能としてもよい。具体的には、図１２の洗浄ノズル２３０のような先端形状を有するものとし、これを軸線周りに１８０度回転させることにより洗浄ノズル２３２のように突出位置が変更されるものでもよい。この構成によれば、１本の局部洗浄ノズルを用いるだけでシャッタの上開きと下開きが可能となり、部品点数の削減と省スペース化が可能となる。
【００７６】
あるいは、局部洗浄ノズルを支持するとともにその傾斜角度を変更可能とする角度可変支持機構を設けてもよい。そして、その角度に応じて局部洗浄ノズルの先端がシャッタを押圧する箇所を変更できるようにしてもよい。すなわち、局部洗浄ノズルの位置を第１角度位置とした場合にその先端が回動軸の下側に位置し、第２角度位置とした場合にその先端が回動軸の上側に位置するようにしてもよい。このような構成によれば、第１角度位置にて局部洗浄ノズルを駆動することによりシャッタを上開きさせることができ、第２角度位置にて局部洗浄ノズルを駆動することによりシャッタを下開きさせることができる。この構成によれば、局部洗浄ノズルの先端形状を現状品から変更する必要がなくなる。
【００７７】
あるいは、局部洗浄ノズルをシャッタ切替機構として機能させるのではなく、シャッタに上開き用の上軸と下開き用の下軸を設け、それぞれをモータ等の駆動装置により直接回動させるようにしてもよい。あるいは、開口部３４の近傍の上下に前後方向に可動である押出ピンをそれぞれ設けてもよい。この上下の押出ピンのいずれを前方に駆動するかにより上開きと下開きとが切り替えられるようにしてもよい。これらの押出ピンの進退駆動を、モータと、そのモータの回転運動を押出ピンの並進運動に変換する作動変換機構とによりそれぞれ実現してもよい。
【００７８】
上記実施形態では述べなかったが、ケース６内に臭いを検出する臭いセンサを設け、その臭いの種類に応じて温風乾燥時のシャッタの角度を切り替えるようにしてもよい。例えば、臭気が強い場合にはシャッタを上開きとし、温風をて使用者に向けないようにしてもよい。また、シャッタに風向調整用の可動のガイドリブを設け、臭いセンサが検出する臭いの種類に応じて温風乾燥時の風向を切り替えるようにしてもよい。
【００７９】
上記実施形態では述べなかったが、シャッタ３６の角度を温風乾燥時と脱臭時とで切り替えるようにしてもよい。すなわち、脱臭時には、洗浄ノズル３０の駆動によりシャッタ３６が所定角度の上開き状態とされるとともに、ファン５０が駆動されるようにしてもよい。それにより、吹出口４６から便鉢１５に向けて空気が吹き出され、その空気が臭気を取り込んで吸込口５６に戻ってくるようにしてもよい。この臭気を含む空気は、脱臭カートリッジ５２を通過することで脱臭される。その場合、温風乾燥時および脱臭時に開放される第１シャッタと、局部洗浄時に開放される第２シャッタとを別に設け、第１シャッタに対してシャッタ３６と同様の回動支持機構８６を適用してもよい。
【００８０】
なお、本発明は上記実施形態や変形例に限定されるものではなく、要旨を逸脱しない範囲で構成要素を変形して具体化することができる。上記実施形態や変形例に開示されている複数の構成要素を適宜組み合わせることにより種々の発明を形成してもよい。また、上記実施形態や変形例に示される全構成要素からいくつかの構成要素を削除してもよい。
【符号の説明】
【００８１】
１  大便器、  ２  便器本体、  ４  局部洗浄装置、  ６  ケース、  １５  便鉢、  １６  ノズルユニット、  １８  温水供給ユニット、  ２０  温風乾燥ユニット、  ２２  脱臭ユニット、  ３０，３２  洗浄ノズル、  ３４  開口部、  ３６  シャッタ、  ３８  温風発生装置、  ４０  温風ダクト、  ４２  ファン、  ４６  吹出口、  ４８  脱臭ダクト、  ５０  ファン、  ５２  脱臭カートリッジ、  ５６  吸込口、  ６８，７８  モータ、  ８２  外側面、  ８４  内側面、  ８６  回動支持機構、  ８８  回動軸、  ９０，９２  係合突起、  ９４  ケース、  ９６  スライドアーム、  ９８  外筒、  １００  内筒、  １０２  シャッタアーム、  １１０  スプリング、  １１２  爪部、  ２０４  局部洗浄装置、  ２１６  ノズルユニット、  ２３０，２３２  洗浄ノズル、  ２３６  シャッタ、  ２４０  押圧部材、  ２４２  テーパ面、  ２４４  押圧部材、  ２４６  テーパ面。
【図１】
2015206183.tif 000003
【図２】
2015206183.tif 000004
【図３】
2015206183.tif 000005
【図４】
2015206183.tif 000006
【図５】
2015206183.tif 000007
【図６】
2015206183.tif 000008
【図７】
2015206183.tif 000009
【図８】
2015206183.tif 000010
【図９】
2015206183.tif 000011
【図１０】
2015206183.tif 000012
【図１１】
2015206183.tif 000013
【図１２】
2015206183.tif 000014
【図１３】
2015206183.tif 000015
【図１４】
2015206183.tif 000016
【図１５】
2015206183.tif 000017